(57)【特許請求の範囲】
【請求項１】
行および列を有するマトリクス状に配列された複数の画素を含む表示領域を有し、前記複数の画素のそれぞれは、視感度が最も高い第１色と、視感度がこの順で低くなる第２色および第３色のいずれかをそれぞれが表示する少なくとも３つの絵素を有する表示装置であって、
前記表示領域内に少なくとも２つの境界線を形成するように貼り合せられた４つの光学素子を有し、
前記少なくとも２つの境界線は、第１境界線と、前記第１境界線に交差する第２境界線とを含み、前記第１境界線または第２境界線を間に挟んで対向する複数の表示部対はいずれも前記第１色を表示する表示部を含まず、
前記複数の画素のそれぞれにおける前記第１色の表示の最高輝度、前記第２色の表示の最高輝度、および前記第３色の表示の最高輝度は、前記複数の画素の間でそれぞれ実質的に等しい、表示装置。
【請求項２】
前記第１色は緑、前記第２色は赤、前記第３色は青である、請求項１に記載の表示装置。
【請求項３】
前記複数の表示部対のそれぞれは前記第２色を表示する請求項１または２に記載の表示装置。
【請求項４】
前記複数の表示部対のそれぞれは前記第３色を表示する請求項１または２に記載の表示装置。
【請求項５】
前記複数の表示部対は、前記第２色を表示する複数の第２色表示部対と、前記第３色を表示する第３色表示部対とを有し、前記複数の第２色表示部対および前記複数の第３色表示部対は、前記第１境界線に沿って交互に配列されている、請求項１または２に記載の表示装置。
【請求項６】
前記４つの光学素子は、４つの表示パネルである、請求項１から５のいずれかに記載の表示装置。
【請求項７】
前記４つの光学素子は、表示パネルを構成する４枚の基板である、請求項１から５のいずれかに記載の表示装置。
【請求項８】
前記第１境界線は、前記列または前記行に平行な方向に延びている、請求項１から７のいずれかに記載の表示装置。
【請求項９】
前記複数の表示部対のうち前記第１境界線を間に挟んで対向する複数の表示部対のそれぞれは、前記複数の画素のうちの１つに含まれる、請求項１から８のいずれかに記載の表示装置。
【請求項１０】
前記第１境界線を間に挟んで対向する前記複数の表示部対のそれぞれは一対の絵素である、請求項９に記載の表示装置。
【請求項１１】
前記第１境界線を間に挟んで対向する前記複数の表示部対のそれぞれは、前記複数の画素のうちの互いに異なる画素に属する、請求項１から８のいずれかに記載の表示装置。
【請求項１２】
前記複数の画素の列方向のピッチＰｙおよび行方向のピッチＰｘは前記表示領域の全体に亘って等しい、請求項１から１１のいずれかに記載の表示装置。
【請求項１３】
前記複数の表示部対を構成する一対の第２色絵素または第３色絵素の重心を、それぞれ第２色絵素または第３色絵素の重心とすると、
前記複数の画素に含まれる複数の第１色絵素、複数の第２色絵素および複数の第３色絵素の重心の前記第１境界線と交差する方向におけるそれぞれのピッチＰ１、Ｐ２、Ｐ３は、前記表示領域の全体に亘って等しい、請求項９に記載の表示装置。
【発明の詳細な説明】
【０００１】
【発明の属する技術分野】
本発明は、貼り合せ構造を有する直視型カラー表示装置およびその製造方法に関する。
【０００２】
【従来の技術】
近年、オーディオビジュアル（ＡＶ）機器やオフィスオートメーション（ＯＡ）機器に用いられている表示装置に対しては、軽量化、薄型化、低消費電力化、高精細化、および表示画面の大型化（以下、大画面化とする）が要求されている。このなかで、大画面化は、ＣＲＴ（Ｃａｔｈｏｄｅ  Ｒａｙ  Ｔｕｂｅ）方式を始めとして、液晶表示装置（ＬＣＤ）、プラズマ表示装置（ＰＤＰ）、エレクトロルミネセンス（ＥＬ）表示装置、発光ダイオード（ＬＥＤ）表示装置、ＦＥＤ装置など各種の直視型表示装置に共通の課題となっている。
【０００３】
特に、アクティブマトリクス駆動を行なう液晶表示装置やＥＬ表示装置は、フルカラー表示が可能で表示品位が優れていること、アクティブマトリクス基板の製造技術が共通であることなどのメリットを活かし、現在幅広い分野で用いられつつあり、大画面化への期待も大きい。
【０００４】
しかしながら、アクティブマトリクス型の液晶表示装置やＥＬ表示装置に代表されるフラットパネル型の表示装置を大画面化すると、製造工程において信号線などの断線や絵素の欠陥などに由来する不良率が急激に上昇する。これに加え、大型の基板に対応できる製造設備が新たに必要となるので、表示装置の価格上昇をもたらすといった問題が生じている。
【０００５】
そこで、この問題を解決するために、同一平面上で複数の表示パネルを相互に接続する（貼り合せる）ことによって大画面化を図った表示装置、いわゆるマルチパネル型の表示装置が知られている。
【０００６】
以下では、簡単のために、複数の表示パネルを相互に接続する（貼り合わせる）ことによって大画面化された表示パネルを「大型表示パネル」と呼び、大型パネルを構成する個々の表示パネルと区別することにする。なお、「大型表示パネル」は、表示面積が大きいことを要しない。例えば、１５型未満の表示パネルであっても、相互に接続された複数の表示パネルから構成されているものを「大型表示パネル」と称する。また、「表示パネル」を単に「パネル」と呼ぶこともある。
【０００７】
大画面表示装置は、上述したように、複数の表示パネルを互いに接続することによって作製されるほか、大型表示パネルを構成する一対の透光性基板のうちの少なくとも一方の基板（例えばアクティブマトリクス基板）に、複数の小型基板がその側面で相互に接続された基板（「接続基板」と基板ということもある。）を用いることによって大画面化を図った表示装置も知られている。このような大画面表示装置にも継ぎ目が形成されるので、広義のマルチパネル型表示装置に含まれる。
【０００８】
さらに、上述のマルチパネル型表示装置以外にも、表示装置に継ぎ目が形成されることがある。例えば、液晶表示装置や有機ＥＬ表示装置に用いられる偏光板や位相差板のように、その製造方法に応じて予め決まった大きさのものしか入手できない光学素子がある。そのため、表示装置が大型化すると、その表示領域（画面）全体をカバーするだけの大きさを有する光学素子が入手できなかったり、価格が割高になったりすることがある。この問題を回避するために、複数の光学素子をその側面で互いに接続して用いることも考えらる。
【０００９】
本明細書では、表示領域内に継ぎ目が形成される構造を「貼り合せ構造」と言い、貼り合せ構造は、複数の表示パネルが接続されたマルチパネル型の大型表示装置の構造だけでなく、表示装置を構成する基板や光学素子（例えば偏光板や位相差板）が継ぎ目を有する構造を含むものとする。
【００１０】
このような貼り合せ構造を有する表示装置の表示品位を向上するためには、継ぎ目が観察されないようにする必要がある。例えば、互いに隣接する表示パネルの間の継ぎ目が目立たないマルチパネル型の液晶表示装置は、四宮他、シャープ技報、第６９号、第８１〜８４頁、１９９７年１２号や、本願出願人による特開平１１−２０２３０８号公報に記載されている。
【００１１】
【発明が解決しようとする課題】
上述のマルチパネル型液晶表示装置の継ぎ目を目立たなくする技術は、継ぎ目を構成する接続部の構造（基板の厚さや屈折率、遮光部の大きさや配置）を最適化することによって、接続部の存在が表示光へ与える影響を減らすことを目的としているが、これを十分に減らすことは非常に難しい。例えば、接続部を構成する接着剤の屈折率を精密に調整することは難しいし、接続部を通過した（あるいは遮光された）光の表示への影響を広い視野角に亘って十分に低下させることは難しい。
【００１２】
また、特開平１０−１３５４７９号公報は、継ぎ目を挟んで対向するように青または赤の絵素（同一の画素に属する）を配置した構成を例示（例えばこの公報の図９）しているが、これらの絵素の面積は、他の画素のそれぞれ対応する絵素の面積と異なるので、継ぎ目を十分に視認され難くすることが困難であることが本発明者の検討の結果わかった。
【００１３】
本願発明は、上記諸点に鑑みてなされたものであり、継ぎ目を挟んで対向する表示部の配置を最適化することによって、継ぎ目が目立たなくされた表示装置およびそのような表示装置の製造方法を提供することを目的とする。
【００１４】
【課題を解決するための手段】
本発明の表示装置は、行および列を有するマトリクス状に配列された複数の画素を含む表示領域を有し、前記複数の画素のそれぞれは、視感度が最も高い第１色と、視感度がこの順で低くなる第２色および第３色のいずれかをそれぞれが表示する少なくとも３つの絵素を有する表示装置であって、前記表示領域内に少なくとも１つの境界線を形成するように貼り合せられた少なくとも２つの光学素子を有し、前記少なくとも１つの境界線は、それを間に挟んで対向する複数の表示部対のそれぞれが前記第２色または前記第３色を表示する位置に形成された少なくとも１つの第１境界線を含み、前記複数の画素のそれぞれにおける前記第１色の表示の最高輝度、前記第２色の表示の最高輝度、および前記第３色の表示の最高輝度は、前記複数の画素の間でそれぞれ実質的に等しいことを特徴とし、そのことによって上記目的が達成される。
【００１５】
好ましい実施形態において、前記第１色は緑、前記第２色は赤、前記第３色は青である。
【００１６】
前記複数の表示部対のそれぞれは前記第２色を表示する構成としてもよく、前記複数の表示部対のそれぞれは前記第３色を表示する構成としても良い。前記第２色は最も視感度が低い色であることが最も好ましい。
【００１７】
前記複数の表示部対は、前記第２色を表示する複数の第２色表示部対と、前記第３色を表示する第３色表示部対とを有し、前記複数の第２色表示部対および前記複数の第３色表示部対は、前記少なくとも１つの第１境界線に沿って交互に配列されている構成としても良い。
【００１８】
前記少なくとも２つの光学素子は、少なくとも２つの偏光板を含む構成であってよい。
【００１９】
前記少なくとも２つの光学素子は、少なくとも２つの位相差板をさらに含む構成であってよい。
【００２０】
好ましい実施形態において、前記少なくとも２つの光学素子は、少なくとも２つの表示パネルである。また、前記少なくとも２つの光学素子は、表示パネルを構成する少なくとも２枚の基板であってもよい。
【００２１】
前記少なくとも１つの第１境界線は、前記列または前記行に平行な方向に延びている構成とすることができる。あるいは、前記少なくとも１つの第１境界線は、前記列および前記行に交差する方向に延びている構成とすることもできる。
【００２２】
前記複数の表示部対のそれぞれは、前記複数の画素のうちの１つに含まれる構成であることが好ましい。
【００２３】
前記複数の表示部対のそれぞれは一対の絵素であってもよい。
【００２４】
前記複数の表示部対のそれぞれは、前記複数の画素のうちの互いに異なる画素に属する構成としてもよい。
【００２５】
前記複数の画素の列方向のピッチＰｙおよび行方向のピッチＰｘは前記表示領域の全体に亘って等しいことが好ましい。
【００２６】
前記複数の表示部対を構成する一対の第２色絵素または第３色絵素の重心を、それぞれ第２色絵素または第３色絵素の重心とすると、前記複数の画素に含まれる複数の第１色絵素、複数の第２色絵素および複数の第３色絵素の重心の前記少なくとも１つの第１境界線と交差する方向におけるそれぞれのピッチＰ１、Ｐ２、Ｐ３は、前記表示領域の全体に亘って等しいことが好ましい。
【００２７】
本発明による表示装置の製造方法は、表示領域を有する表示パネルを用意する工程と、前記表示パネルの所定の面に接着剤層を形成する工程と、前記接着剤層に接触するように、前記表示領域に継ぎ目が形成されるように複数の光学素子をアライメントする工程と、前記アライメント工程の後で、前記接着剤層にエネルギーを与えることによって、前記複数の光学素子を前記表示パネル上に固定する工程とを包含することを特徴とし、そのことによって上記目的が達成される。
【００２８】
【発明の実施の形態】
以下、図面を参照しながら、本発明による直視型カラー表示装置（以下、簡単のために、単に「表示装置」と呼ぶこともある。）の構造と機能を説明する。
【００２９】
図１に示すマルチパネル型の大型表示装置１０は、行および列を有するマトリクス状に配列された複数の画素４を含む表示領域１０ａを有し、複数の画素４のそれぞれは、視感度が最も高い第１色と、視感度がこの順で低くなる第２色および第３色いずれかをそれぞれが表示する少なくとも３つの絵素３（３ａ、３ｂ、３ｃ）を有している。典型的には、第１色は緑（Ｇ）、第２色は赤（Ｒ）、第３色は青（Ｂ）であるが、これに限られない（例えば、第１色をイエロー（Ｙ）、第２色をシアン（Ｃ）、第３色をマゼンタ（Ｍ）としてもよい）。また、１つの画素４に４色以上（例えば、Ｒ、Ｇ、Ｂ、Ｃ）の絵素を設けても良い。なお、第３色は最も視感度が低い色であることが好ましく、第２色はその次に視感度が低い色であることが好ましいが、第２色および第３色が最も視感度が高い色以外であれば、後述する境界線を視認され難くする効果が得られる。
【００３０】
本明細書においては、カラー表示の最小単位である画素（ｐｉｘｅｌ）４は、互いに異なる色を表示する少なくとも３つの絵素（ｄｏｔ）３を有している。絵素３は、例えば、ＴＦＴ型液晶表示装置においてＴＦＴに接続された絵素電極（画素電極とも言われる。）で駆動される最小単位である。また、境界線２（２ａ、２ｂ、２ｃ、２ｄ）と絵素配列（および画素配列）との位置関係を規定するために導入される「表示部」５は、絵素３そのものに対応することもあるし、絵素３の一部（１つの絵素内の境界線に沿った部分）に対応することもある。
【００３１】
１つの画素４は、同じ色を表示する２つ以上の絵素（例えば第１色絵素）を有することがあり、これらは同じ表示信号に応じて駆動される。絵素配列を規定するために導入される「絵素の重心」という用語は、１つの画素４に同じ色を表示する絵素が複数存在する場合には、１つの画素内で同じ色を表示する複数の絵素の集合体の重心（幾何学的な重心）を意味することにする。「画素の重心」は、１つの画素内に含まれる全ての絵素の集合体の重心を意味する。絵素ピッチや画素ピッチは、それぞれの重心のピッチとして定義される。なお、絵素ピッチは、同じ色を表示する絵素の間で定義される。
【００３２】
また、異なる色を表示する絵素は、液晶表示装置や白色光を発光する有機ＥＬ表示装置においては、異なる色のカラーフィルタと液晶層または有機ＥＬ層（発光層）との組み合わせで実現される。なお、有機ＥＬ表示装置は、異なる色の光を発光する有機ＥＬ層を用いて構成することも出来る。さらに、ＦＥＤ装置では、異なる色を表示する絵素は異なる色を発光する蛍光体層と電子線を放出する陰極との組み合わせで実現される。
【００３３】
この表示装置１０は、表示領域１０ａ内に少なくとも１つの境界線２（２ａ、２ｂ、２ｃ、２ｄ）を形成するように貼り合せられた少なくとも２つの光学素子（ここでは４枚の表示パネル１）を有する。
【００３４】
図２（ａ）〜図２（ｃ）に示すように、境界線２ａ〜２ｄの少なくとも１つの境界線は、それを間に挟んで対向する複数の表示部５の対（「表示部対５Ａ」ということもある。）のそれぞれが第２色（Ｒ）または第３色（Ｂ）を表示する位置に形成された少なくとも１つの第１境界線２を含む。すなわち、２つの光学素子を互いに貼り合せることによって形成された第１境界線（継ぎ目）２の両側に位置する表示部対５Ａは、同色の表示を行う表示部５であり、且つ、その色は視感度が最も高い色でないように配置されているので、混色の発生が防止され、第１境界線２が視認され難い。
【００３５】
勿論、境界線２を最も視認され難くするためには、図２（ａ）に示すように、第１境界線２の両側に位置する一対の表示部５は、視感度が最も低い色（ここで第３色Ｂ）を表示する（「第１配列」ということにする）ことが好ましいが、図２（ｂ）に示すように、視感度がその次に低い色（ここでは第２色Ｒ）を表示する構成（「第２配列」という。）としてもよい。また、第１境界線２に沿って第３色Ｂまたは第２色Ｒの何れかを表示する表示部５だけが配列される必要は無く、図２（ｃ）に示すように、第３色Ｂを表示する第３色表示部対５Ａと第２色Ｒを表示する第２色表示部対５Ａが第１境界線２に沿って交互に配列（「第３配列」という。）されてもよい。
【００３６】
表示装置１０が２つ以上の境界線２を有する場合には、全ての境界線２（２ａ、２ｂ、２ｃおよび２ｄ））が上記条件を満足するする（第１境界線である）ことが好ましいが、少なくとも１つの境界線が第１境界線であれば本発明の効果を得ることが出来る。もちろん、表示装置１０が互いに直交する２つの境界線（２ａおよび２ｃと２ｂおよび２ｄ）を有する構成においては、それぞれの境界線２が第１境界線となるように表示部５を配列することによって、いずれの境界線に直交する方位角方向に視角を倒しても境界線が視認されにくくできる。
【００３７】
表示装置１０に互いに異なる方向に延びる複数の境界線２が形成される場合、それぞれが第１境界線であることが好ましく、全ての第１境界線に沿って第１配列が形成されていることが視認性を低下させるためには最も好ましいが、複数の第１境界線に沿った絵素配列は互いに独立に設定され得る。例えば、左右方向の視角特性が重要な表示装置においては、上下方向に延びる第１境界線に沿って第１配列を採用し、左右方向に延びる第１境界線に沿って第２または第３配列を採用してもよい。また、上下方向に延びる境界線だけを第１境界線としてもよい。
【００３８】
次に、図３および図４を参照しながら、境界線（第１境界線）２が視認され難くなるメカニズムを説明する。図３は、表示装置１０の境界線２の両側の絵素３を含む領域の模式的な断面図であり、図４は、境界線２の近傍の絵素３だけでなくそれに隣接する絵素３をも含む領域の模式的な断面図である。
【００３９】
例えば、表示装置１０が、一対のガラス基板１１および１２の間にシール剤１３で封入された液晶層１４を有する表示パネル（液晶パネル）１ａおよび１ｂが互いに貼り合わされ、境界線２が形成されている場合について説明する。表示装置１０が有するカラーフィルタ層２２は、絵素３に対応して設けられたカラーフィルタ２４（２４ａ、２４ｂ）を含んでいる。また、境界線（継ぎ目）２を通過する光が観察者に届くのを防止するための遮光部（ブラックマトリクス（ＢＭ）とも呼ばれる。）２６が設けられている。この遮光部２６は、それぞれの表示パネル１ａおよび１ｂの絵素３の間および画素４の間に設けれているブラックマトリクス（不図示）と一体に形成されても良い。この表示装置１０は透過型液晶表示装置であり、偏光板３０ａおよび３０ｂを有しているが、これらを省略することもできる。
【００４０】
境界線２を挟んで両側に位置する表示部対５Ａ（図２（ａ）〜（ｃ）参照）に対応するカラーフィルタ（カラーフィルタの一部でもよい）２４ａおよび２４ｂは、互いに同じ色（Ｂ同士またはＲ同士）なので、カラーフィルタ２４ａを通過した光線Ｌａとカラーフィルタ２４ｂを通過した光線Ｌｂが、境界線２の近傍で混ざっても、混色の問題は発生しない。
【００４１】
また、図３に示したように、第１境界線（継ぎ目を構成する接続部）２を通過する光を遮るための遮光部２６を第１境界線２に沿って設けた構成においては、遮光部２６の幅（継ぎ目が延びる方向に直角方向）を狭くしても、混色による表示品位の低下の問題が発生しないので、遮光部２６の幅を従来よりも狭くし、開口率を向上することができる。さらに、第１境界線２に直交する方位角方向に視角（表示面法線と観察方向がなす角）を倒す、すなわち観察方向を表示面に平行に近づけても、混色による表示品位の低下が発生しない。従って、広視角型の表示装置における継ぎ目を視認され難くすることが出来るとともに、表示品位の低下を抑制することができる。
【００４２】
次に、図４を参照しながら、境界線２の近傍の領域における表示と境界線から離れた領域における表示の輝度の差について説明する。
【００４３】
図４に示したように、境界線２を構成する接続部を通過する光Ｌｄは、接続部と表示パネル１との光学的な不均一さによって散乱および／または反射され、所定の方向に出射する光の強度は、接続部を通過しない光Ｌｃに比べて弱くなる。この問題を回避するために、例えばバックライトからの出射光強度の分布を制御し、接続部に入射する光Ｌｃの強度を他の領域に入射する光Ｌｄよりも強くすることも考えれられるが技術的に難しく、また、境界線２に照射される光の強度を上げることによって、逆に、境界線２が視認されやすくなることもあり得る。
【００４４】
これに対し、本発明によると、境界線２の両側には視感度が低い（最高でない、好ましくは視感度が最低の）色のカラーフィルタ２４（２４ａおよび２４ｂ）が配置されているので、境界線２が視認され難い。さらに、それぞれの画素４における第１色の表示の最高輝度、第２色の表示の最高輝度および第３色の表示の最高輝度が全ての画素４間でそれぞれ等しく、すなわち、境界線２を含む画素または第１境界線の両側の画素が、他の領域の画素と実質的に同じ最高輝度を有することによって、表示の均一性が高まり、境界線２がさらに視認され難くなる。なお、画素４ごとのそれぞれの表示色の最高輝度は、１つの画素４に含まれるそれぞれの色の絵素３の面積の合計とし評価するものとし、「最高輝度が実質的に等しい」とは、１つの画素に含まれるそれぞれの色の絵素の面積の合計が実質的に等しいことを意味する。
【００４５】
このように、本発明が好適に用いられる表示装置の典型的な例は、マルチパネル型表示装置であって、貼り合せられる光学素子は、表示パネルそののものであるが、大型表示パネルを構成する基板であってもよい。
【００４６】
大型表示パネルを構成する基板や表示パネルそのものを貼り合わせることによって形成される境界線は、画素の配列方向（行および／または列）に平行に形成されるので、これらに沿った境界線が第１境界線となるように、表示部を配列することが好ましい。
【００４７】
これまで、マルチパネル型表示装置１０を例に、マルチパネル型表示装置に本発明を適用した実施形態を説明したが、本発明はこれに限られず、表示パネルや基板を貼り合わせた構成に限らず、表示装置を有する他の光学素子が表示領域内に貼り合わせ構造による境界線を形成する場合にも適用できる。例えば、図５および図６を参照しながら以下に説明するように、有機ＥＬ表示装置５０を構成する光学素子が貼り合わせ構造を有している場合にも効果を奏する。以下では、異なる色の絵素は、それぞれ異なる色光を発光する有機ＥＬ層を用いて構成されている有機表示装置５０を例示するが、白色光を発光する有機ＥＬ層とカラーフィルタ層とを用いて異なる色の絵素を構成することも出来る。
【００４８】
有機ＥＬ装置５０は、反射電極５２、発光層（有機ＥＬ層）５３、ガラス基板５５、４分の１波長板５６および偏光板５７がこの順に積層された構造を有している。
【００４９】
有機ＥＬ表示装置５０において、境界線２を形成するように貼り合せられている光学素子は４分の１波長板５６および偏光板５７である。これらの光学素子は一般に、高分子材料を一軸延伸することによって製造され、その幅は限られている。従って、大画面表示装置の表示領域の全面を１枚の光学素子でカバーすることが出来ないことがあり、その場合に貼り合せ構造が導入される。
【００５０】
このとき、図３を参照しながら説明したのと同様に、図５に模式的に示すように境界線２’の両側の発光層５３から出射された光ＬｅおよびＬｆが境界線２’で混ざるが、本発明によると、光ＬｅおよびＬｆは同じ色なので、混色の問題が発生しない。また、図４を参照しながら説明したのと同様に、図６に模式的に示すように、境界線２’に入射した光Ｌｇの強度は、他の領域に入射した光Ｌｈの強度よりも弱くなるが、境界線２’に入射する光Ｌｇは視感度の低い（好ましくは視感度が最も低い）光なので、この強度低下は認識され難い。
【００５１】
上述したように、境界線２および境界線２’（これらを総称して「境界線２」と表記することがある。）を間に挟んで互いに対向する１対の表示部５（表示部対５Ａ）は、ともに同じ色を表示し、且つ、表示部対５Ａは、上記の第１配列、第２配列および第３配列のいずれかの配列をとる。この表示部対５Ａは、絵素および画素配列との関係で、下記の３種に分類できる。
【００５２】
ケース１：  表示部対５Ａが１つの画素に含まれる一対の絵素である場合（例えば、図７〜図１２参照）。
【００５３】
ケース２：  表示部対５Ａが互いに異なる画素に含まれる一対の絵素である場合（例えば、図１３および図１４参照）。
【００５４】
ケース３：  表示部対５Ａが互いに異なる画素に含まれる一対の絵素の一部である場合（例えば、図１５および図１６参照）。
【００５５】
上記ケース１の場合、表示部対５Ａは、１つの画素に含まれるので、表示部対５Ａを構成する２つの表示部５は同じ色を表示するだけでなく、輝度も同じであり、すなわち全く同じ表示を行う。１つの色絵素が分割された場合に相当する。但し、表示部対５Ａを構成する各表示部５の面積が互いに同じである必要は必ずしもない。
【００５６】
ケース１の場合には、表示部対５Ａが１つの絵素として表示を行うので、表示部対５Ａの間にある第１境界線は、ケース２およびケース３の場合よりもさらに視認され難い。また、表示部対５Ａを構成する２つの表示部５の面積が同じで、表示部対５Ａの重心が第１境界線上に位置するように構成することが好ましい。
【００５７】
一方、ケース２およびケース３は、表示部対５Ａが異なる画素に属するので、同じ色を表示するものの、その輝度は一般に異なる。しかしながら、表示部対５Ａの表示色として視感度が低い色（最高視感度の色以外で、好ましくは最低の視感度の色）が選択されているので、視認され難い。また、一般に隣接している画素の表示状態の相関性は高いので、第１境界線を十分に視認され難くできる。なお、表示装置１０内に複数の第１境界線が形成される場合、それらは互いに独立に上記ケース１からケース３のいずれかであってよい。
【００５８】
表示装置１０に形成される境界線をさらに視認され難くするためには、画素４の列方向のピッチＰｙおよび行方向のピッチＰｘが、境界線２を含む表示領域１０ａ全体に亘って等しいことが好ましい。絵素ピッチ（Ｒ、Ｇ、Ｂのそれぞれの絵素ピッチをＰｒ、Ｐｇ、Ｐｂとする。）も同様に表示領域１０ａ全体に亘って等しいことが好ましく、絵素３の配列方向が第１境界線と交差（特に好ましくは直交）するように配置されていると、その第１境界線をさらに視認され難くできる。なお、第１境界線を挟んで対向する複数の表示部対５Ａが１つの画素４に含まれる一対の絵素３である場合、表示部対５Ａを構成する一対の絵素の重心をその色の絵素の重心とし、その重心のピッチが他の色の絵素のピッチと等しくなるよう配置することによって、第１境界線をさらに視認され難くできる。
【００５９】
以下、本発明の好ましい実施形態を具体例を挙げてさらに詳しく説明するが、本発明は以下の具体例に限定されるものではない。
【００６０】
（ケース１）
まず、マルチパネル型表示装置の実施形態を説明する。図７に示す表示装置７０および図８に示す表示装置８０は、互いに側面で貼り合わされた４枚の表示パネル１で構成されており、境界線２ａおよび２ｂを有している。表示装置７０および８０は、図中で垂直方向に延びる境界線２ａを視認され難くするように表示部５（表示部対５Ａ）が配列されている（すなわち、境界線２ａが第１境界線に対応する）。ここでは、行方向の画素ピッチＰｘおよび列方向のピッチＰｙは互いに等しい（Ｐｘ＝Ｐｙ＝Ｐ）場合を示してるが、Ｐｘ≠Ｐｙであってもよい。また、マトリクス状に配列された画素４の列方向（例えばデータ線方向）と行方向（例えば走査線方向）とは一般に可換である。
【００６１】
表示装置７０および８０の第１境界線２ａを含むそれぞれの画素４は、４つの絵素３を有しており、その内訳は、２つ青絵素Ｂと、１つの緑絵素Ｇと、１つの赤絵素Ｒである。第１境界線２ａは、２つの青絵素Ｂによって構成される表示部対５Ａの間に配置されている。また、２つの青絵素Ｂの面積は互いに等しく、これらの重心は、第１境界線２ａ上に位置している。表示部対５Ａがもっとも視感度が低い青を表示することが最も好ましいが、青絵素Ｂに代えて赤絵素Ｒを配置しても第１境界線２ａを視認され難く出来る。
【００６２】
なお、第１境界線２ａを含む画素４だけが２つの青絵素Ｂを有しており、他の画素４は、青絵素Ｂ、緑絵素Ｇおよび赤絵素Ｒをそれぞれ１つずつ有している。但し、第１境界線２ａを含む画素４に含まれる２つの青絵素Ｂの幾何学的な重心は、他の画素４に含まれる青絵素Ｂと一定ピッチＰｂで配列されている。このＰｂは、他の絵素のピッチ（ＰｇおよびＰｒ）と等しく、且つ画素のピッチＰとも等しい。従って、第１境界線２ａを含む画素４だけが２つの青絵素Ｂを有しているが、青表示の重心は他の青絵素Ｂと一定のピッチＰｂで配列されているので、観察者には均一に見える。
【００６３】
さらに、第１境界線２ａを含む画素４内の２つの青絵素Ｂの面積の合計は、他の画素４の青絵素Ｂの面積と等しいとともに、緑絵素Ｇおよび赤絵素Ｒの面積とも等しい。従って、各画素の輝度および色度も表示領域全体に亘って均一なので第１境界線２ａは視認され難い。
【００６４】
なお、ここでは、第１境界線２ａを挟んで対向する２つの青絵素Ｂの面積を互いに等しくし、これらの重心が第１境界線２ａ上に位置するように配置することによって第１境界線２ａをさらに視認され難くしているが、青絵素Ｂの対の配置はこれに限らず、２つの青絵素Ｂの面積は互いに異なっても良い。勿論、２つの青絵素Ｂの重心が他の画素の青絵素ＢとＰｂ＝Ｐのピッチの関係で配列されていることが好ましい。勿論、表示部対５Ａを構成する２つの青絵素Ｂの面積の合計は、他の画素の青絵素Ｂの面積と等しいことが好ましい。
【００６５】
図７に示した表示装置７０では、第１境界線２ａを含む画素４内の絵素３の配列が他の画素４と異なるが、図８に示した表示装置８０のように、全ての画素４内の絵素３の配列を第１境界線２ａを含む画素４と同じにしてもよい。図７に示した構成では、絵素３間にリークが発生し難いという利点がある。また、図８に示した構成は、面内均質性が高く、高精細表示に向いている。
【００６６】
図９および図１０に示す表示装置９０および１００のような絵素配列を採用しても、第１境界領域２ａを視認され難くできる。
【００６７】
表示装置９０および１００においては、第１境界線２ａを含むそれぞれの画素４は、２つの表示部対５Ａを有する。この２つの表示部対５Ａは視感度が最も高い緑絵素Ｇ以外の色を表示する表示部で構成されている。すなわち、一対の青絵素Ｂと一対の赤絵素Ｇとがそれぞれ表示部対５Ａを構成しており、青絵素Ｂの表示部対５Ａと赤絵素Ｒの表示部対５Ａが第１境界線２ａに沿って交互に配列されている。
【００６８】
第１境界線２ａを含む画素４内の２つの青絵素Ｂおよび２つの赤絵素Ｒのそれぞれの重心は、行方向および列方向に、それぞれ他の画素４内の青絵素Ｂおよび赤絵素Ｒと一定のピッチＰで配列されている。
【００６９】
第１境界線２ａを含む画素４以外の画素４は、図９に示したように青絵素Ｂおよび赤絵素Ｒをそれぞれ１つずつ含むように配置しても良いし、図１０に示したように、第１境界線２ａを含まない画素４においても、第１境界線２ａを含む画素４内の絵素配列と同じ絵素配列としても良い。
【００７０】
図７から図１０に示した表示装置７０から１００においては、何れも２つの直交する境界線２ａおよび２ｂの内の垂直に延びる境界線２ａだけが第１境界線となるように表示部対５Ａが配置されていたが、例えば、図１１に示す表示装置１１０のように表示部対５Ａを配置することによって、直交する２つの境界線２ａおよび２ｂをともに第１境界線として視認され難くできる。
【００７１】
表示装置１１０のそれぞれの画素４は、その中央部に青絵素Ｂを有し、境界線２ａおよび２ｂを介して、青絵素Ｂが互いに対向し、表示部対５Ａを構成するように配置されている。境界線２ａおよび境界線２ｂの延びる方向に沿って、１対の青絵素Ｂによって構成される表示部対５Ａが配列されている。すなわち、境界線２ａおよび２ｂの両方がケース１の配列をとっており、何れの境界線２ａおよび２ｂも視認されにくく、全ての方位角方向から広い視角範囲に亘って高品位な表示を実現できる。
【００７２】
次に、図１２を参照しながら、マルチパネル型表示装置以外の構成に適用した実施形態を説明する。
【００７３】
図１２に示した表示装置１２０は、例えば、図５および図６に示した有機ＥＬ表示装置であってもよいし、液晶表示装置であってもよい。
【００７４】
例えば、２枚の偏光板（不図示）を貼り合わせて用いるとき、視角特性の方位角依存性などの観点から、偏光板の偏光軸（光透過軸）を表示面の上下方向に対して４５度傾斜した方向に平行に配置されることが多く、この場合、偏光板の貼り合わせによって形成される境界線２ａ’または２ｂ’も上下方向に対して４５度方向に延びる。画素４（および絵素３）は、列（典型的には上下方向）および行（典型的には左右方向）を有するマトリクス状に配列されているので、列および行に交差するように形成される上記境界線２’ａが第１境界線となるように、表示部対５Ａが配列されていることが好ましい。
【００７５】
そこで、図１２に示した表示装置１２０のような絵素配列を採用すると、境界線２’ａおよびまたは２’ｂが延びる方向に沿って、一対の青絵素Ｂによって構成される表示部対５Ａが配列される。従って、偏光板などの光学素子の貼りあわせ構造によって表示領域内に形成される境界線を視認され難くすることが出来る。
【００７６】
（ケース２）
次に、表示部対５Ａが異なる画素４に含まれる一対の絵素３で構成されている場合を説明する。
【００７７】
例えば、図１３に示した表示装置１３０のように、境界線２を間に挟んで互いに隣接する２つの画素４はそれぞれ、２つの青絵素Ｂと１つの赤絵素Ｒと１つの緑絵素Ｇを有している。２つの青絵素Ｂの面積の合計は、赤絵素Ｒおよび緑絵素Ｇのそれぞれの面積と等しく、２つの青絵素Ｂは、赤絵素Ｒと緑絵素Ｇとを挟むように対称に配置されている。従って、２つの青絵素Ｂの重心は、画素４の中心と一致しており、赤絵素Ｒおよび緑絵素Ｇと同様に、表示領域全体に亘って、画素ピッチと同じピッチで配列されている。なお、図１３に示した境界線２の両側に位置する画素４以外の全ての画素４が同じ絵素配列を有している。
【００７８】
図１４に示す表示装置１４０のように表示部対５Ａを配列してもよい。表示装置１４０の絵素は、それぞれ１つずつの青絵素Ｂ、赤絵素Ｒおよび緑絵素Ｇを有しており、それぞれの面積は互いに等しい。画素４のうち境界線２に隣接する領域は青絵素Ｂで占められており、境界線２の延びる方向に直交する方向（図では水平方向または行方向）に隣接する画素４内の絵素３の配列は互いに鏡像の関係にあり、２つおきに等価な画素４が配列されている。このような配置では、これまでの実施形態と異なり、それぞれの絵素３のピッチは画素４のピッチと一致しない。しかしながら、２つの互いに隣接する画素４に含まれる２つずつの同色の絵素３の重心は、これら２つの画素４の重心と一致し、表示領域全面に亘って、画素４のピッチＰの２倍のピッチ２Ｐで配列されており、表示の均一性が高い。従って、２つの隣接する画素４に挟まれる第１境界線２は視認され難い。
【００７９】
図１４に示した配列は、図１３に示した配列に比較して、表示部対５Ａを構成する青絵素Ｂを画素４ごとに１つにできる利点がある。なお、図１４に示した水平方向に隣接する２つの画素４の組４Ａを１つの画素４とすれば、ケース１の配列を有する表示装置を構成することもできる。
【００８０】
（ケース３）
次に、表示部対５Ａが異なる画素４に含まれる一対の絵素３の一部で構成されている場合を説明する。
【００８１】
例えば、図１５に示す表示装置１５０のような配列を採用することが出来る。表示装置１５０の各画素は、周辺部に設けられた青絵素Ｂと、青絵素Ｂで囲まれた領域に設けられた赤絵素Ｒと緑絵素Ｇとを有している。青絵素Ｂ、赤絵素Ｒおよび緑絵素Ｇのそれぞれの面積は互いに等しく、また、それぞれの色の絵素ピッチは画素ピッチと一致している。従って、青絵素Ｂは、互いに直交する２つの境界線２ａおよび２ｂのいずれに隣接領域にも形成されているので２本の境界線２ａおよび２ｂの両方を第１境界線とし視認され難くすることができ、全ての方位角方向から広い視角範囲に亘って高品位な表示を実現できる。
【００８２】
さらに、図１６（ａ）および（ｂ）に示す表示装置１６０のような配列を採用することもできる。表示装置１６０の画素４は、画素４の中央部に最も視感度が高い緑絵素Ｇを有し、緑絵素Ｇの周辺に青絵素Ｂおよび赤絵素Ｒが設けられており、緑絵素Ｇ同士が境界線２ａまたは２ｂを介して隣接することがない。また、隣接する画素４で同色の絵素３が隣接するように青絵素Ｂおよび赤絵素Ｒが配置されている。各画素４に含まれるそれぞれの色の絵素３の面積は互いに等しく設定されており、それぞれの色の絵素３は、表示領域全面に亘って画素４のピッチＰと同じピッチで配列されている。境界線２ａまたは２ｂの方向に応じて、図１６（ａ）または図１６（ｂ）に示した構成のいずれかを採用すればよい。
【００８３】
ケース２およびケース３では、境界線２は異なる画素４の間に形成されるので、境界線２がマルチパネル型表示装置の貼り合わせ構造によって形成される境界線である場合も、偏光板などの光学素子の貼り合わせ構造によって形成される境界線であっても、何れの場合でも、例示した配列を適用することが出来る。
【００８４】
これまで、本発明の実施形態の表示装置の表示部対５Ａの配置を実現するためめの絵素および画素と境界線との配置関係を説明してきたが、以下では、それを実現するための装置の構造を例示する。本発明による表示装置は、上述したように、表示部対の配列によって境界線を視認され難くするので、それ以外の構成には公知の構造を広く採用でき、公知の製造方法を用いて製造できる。
【００８５】
以下では、ＴＦＴ型の液晶表示装置に本発明を適用した場合の素子構造の例を示す。以下の例では、それぞれの絵素は、絵素電極とそれに対応して設けられるカラーフィルタで構成されるが、本発明は液晶表示装置に限られず、有機ＥＬやＦＥＤなど種々の表示装置に適用することができる。
【００８６】
ケース１の表示装置９０は、例えば図１７に示すように配列された絵素電極１０３を有する液晶表示装置１７０として構成することがができる。なお、図１７では、ＴＦＴ基板における絵素電極１０３の配列と、それに対応するカラーフィルタの配列を模式的に示している。以下の図面では、ＴＦＴ型液晶表示装置に共通する実質的に同じ機能を有する構成要素は同じ参照符号で示し、その説明を簡略化することにする。
【００８７】
互いに貼り合わせられた２枚の液晶パネル１０１を含む液晶表示装置１７０において、継ぎ目１０２ａ（図９の境界線２ａに対応）を含む絵素１０４は、５つの絵素電極１０３ａ、１０３ｂ、１０３ｃ、１０３ｄおよび１０３ｅを有している。継ぎ目１０２の両側にはそれぞれの液晶パネル１０１のシール部１１２が位置する。継ぎ目１０２ａは、例えば接着剤によって形成されており、従来技術の欄で述べた構成など、公知の構成を広く採用することが出来る。
【００８８】
絵素電極１０３ａは緑絵素Ｇを構成し、絵素電極１０３ｂおよび１０３ｃが２つの赤絵素Ｒを構成し、絵素電極１０３ｄおよび１０３ｅが２つの青絵素Ｂを構成している。赤絵素Ｒに対応する絵素電極１０３ｂと１０３ｃとの間、および青絵素Ｂに対応する絵素電極１０３ｄと１０３ｅとの間に継ぎ目１０２ａが位置するように配置されている。
【００８９】
それぞれの絵素電極１０３は、走査線１０６およびデータ線１０７にそれぞれゲートおよびソースが接続されたＴＦＴ１０８のドレインに接続されている。なお、ＴＦＴ１０８のドレインと絵素電極１０３との電気的な接続は、接続電極１０９を介してコンタクトホール１１０で行われる。
【００９０】
ここで、２つの赤絵素Ｒを構成する絵素電極１０３ｂおよび１０３ｃが接続されている２つのＴＦＴ１０８は同時に走査され、且つ、これら２つのＴＦＴ１０８に接続されているデータ１０７には同じデータ信号が供給されように構成されている。すなわち、絵素電極１０３ｂおよび１０３ｃには、同じタイミングで同じデータ電圧が印加される。また、２つの青絵素Ｂを構成する絵素電極１０３ｄおよび１０３ｅも同様に、同じタイミングで同じ電圧が印加されるように構成されている。
【００９１】
図１５に示した表示装置１５０は、例えば、図１８に示すように配列された絵素電極１０３を有する液晶表示装置１７０として構成することがができる。この液晶表示装置１８０の構成は、画素１０４内の絵素電極１０３の配列が従来の典型的な液晶表示装置と異なるだけであり、接続電極１０９の引き回しによって、絵素電極１０３の配列に対応している。
【００９２】
図１８中のＡ−Ａ’線およびＢ−Ｂ’線に沿った断面構造をそれぞれ図１９および図２０に示す。図１９および図２０においても、ＴＦＴ基板側だけを示し、カラーフィルタ基板の構造は簡単さのために省略している。
【００９３】
液晶表示装置１８０のＴＦＴ基板は、例えば、図１９に示したような構造を有している。絶縁性表面を有する基板（例えばガラス基板）１１１上に走査線１０６と一体にゲート電極が形成されており、その上にゲート絶縁膜１１４が形成されている。ゲート絶縁膜１１４上にチャネル層１１３を有するＴＦＴ１０８が形成されている。このＴＦＴを覆うように絶縁保護膜１１５および平坦化膜（層間絶縁膜）１１６が形成されている。
【００９４】
この平坦化膜１１６上に図２０に示すように絵素電極１０３が形成されており絶縁保護膜１１５および平坦化膜（層間絶縁膜）１１６に形成されたコンタクトホール１１０において、絵素電極１０３は、接続電極１０９（ドレイン電極と一体に形成されてもよい）に電気的に接続されている。このように、ＴＦＴ１０８を覆う平坦化膜１１６を形成し、この上に絵素電極１０３を形成することによって、絵素電極１０３を走査線１０６やデータ線１０７と一部が重なるように形成することが出来るので、開口率を向上できる利点が得れるとともに、絵素電極１０３の配置の自由度が増すので、絵素電極１０３の複雑な配置に容易に対応できるという利点もある。
【００９５】
また、図１３に示した表示装置１３０は、例えば図２１に示すように配列された絵素電極１０３を有する液晶表示装置２１０として構成することがができる。青絵素Ｂに対応する両端の絵素電極１０３は、接続電極１０９を介して共通のＴＦＴ１０８に接続されている。
【００９６】
また、図１４に示した表示装置１４０は、例えば図２２に示すように配列された絵素電極１０３を有する液晶表示装置２２０として構成することがができる。さらに、図１６（ｂ）示した表示装置１６０は、例えば図２３に示すように配列された絵素電極１０３を有する液晶表示装置２３０として構成することがができる。
【００９７】
上述の液晶表示装置は、いずれもマトリクス状に配列された絵素電極１０３の行方向または列方向に沿って境界線が形成される貼り合わせ構造に好適に用いられる。
【００９８】
これに対し、例えば、偏光板を行方向に対して４５°傾斜した方向で貼り合わせる構造など、傾斜した境界線２’ａが形成される表示装置は、図２４に示すように配列された絵素電極１０３を有する液晶表示装置２４０として構成することができる。
【００９９】
液晶表示装置２４０は行方向に延びる走査線１０６および列方向に延びるデータ線１０７に交差する方向に延びた平行四辺形の絵素電極１０３を有している。この平行四辺形の長辺が、２枚の偏光板（不図示）を貼り合わせることによって形成されて境界線２’ａと平行となるように絵素電極１０３が配列されている。このような配列をとることによって、傾斜した境界線２’ａを視認され難くすることができる。
【０１００】
なお、偏光板や位相差板などの光学素子を表示パネルに貼り付けて固定する工程は、従来、予め接着層（粘着層）が形成された偏光板や位相差板を表示パネルに位置合わせしながら貼り付けることによって行われていた。すなわち、位置合わせしながら貼り合わせたその瞬間で固定される位置が決まっていた。従来は、１枚の表示パネルに１枚の偏光板や位相差板を貼り合わせるだけなので、位置合わせの精度が必要なく、十分なアライメントマージンを確保できたので、上述のような工程で問題が無かった。
【０１０１】
ところが、図２４に示したような液晶表示装置２４０を作製するためには、所定の位置（絵素または画素の間）に境界線２’ａが形成されるように、２枚の偏光板を貼り合わせる必要があるが、従来の貼り合わせ方法では、位置精度が低すぎた。
【０１０２】
そこで、図２５に模式的に示すプロセスを用いて図２４に示した液晶表示装置２４０を作製する。
【０１０３】
図２４に示したような配列の絵素電極１０３を備えた液晶パネル２４０ａを準備する。この液晶パネル２４０ａの所定の表面に接着剤層２４４を形成する。この接着剤層２４４は、外部からエネルギー（熱または光）を与えないと硬化しない材料を用いて形成する。この接着剤層２４４上に偏光板２４２ａおよび２４２ｂを接触させながら、アライメントを行う。例えば、アライメントマーク（例えば２点）などをモニタしながら、それぞれの偏光板２４２ａおよび２４２ｂを所定の位置に移動する。この際に、接着剤２４４は偏光板２４２ａおよび２４２ｂを固定する機能は有しておらず、偏光板２４２ａおよび２４２ｂを接着剤層２４４に接触させた状態で正確に位置合わせできる（図２５（ａ））。
【０１０４】
位置合わせが終わった段階で、位置ずれが起こらないようにしながら、接着剤層２４４に偏光板２４２ａおよび２４２ｂを固定する機能を発現させるようにエネルギーを与える。例えば、接着剤層２４２として熱硬化性または光硬化性の接着剤を用いて、所定の加熱処理または光照射処理を行う。
【０１０５】
このようなプロセスを用いることによって、偏光板２４２ａおよび２４２ｂの継ぎ目が視認され難い液晶表示装置２４０を作製することができる。
【０１０６】
【発明の効果】
本発明によると、継ぎ目を挟んで対向する表示部の配置を最適化することによって、従来よりも継ぎ目が目立たなくされた表示装置およびそのような表示装置の製造方法が提供される。本発明は、大型の液晶表示装置をはじめ、ＥＬ表示装置やＦＥＤ装置に好適に用いられる。
【図面の簡単な説明】
【図１】本発明によるマルチパネル型の大型表示装置１０の構成を模式的に示す平面図である。
【図２】（ａ）〜（ｃ）は、本発明による表示装置の表示領域に形成される境界線を間に挟んで対向する複数の表示部５の対（表示部対５Ａ）の配置の例を示す模式図だある。
【図３】本発明の表示装置において、境界線（第１境界線）２が視認され難くなるメカニズムを説明するための模式図である。
【図４】本発明の表示装置において、境界線（第１境界線）２が視認され難くなるメカニズムを説明するための他の模式図である。
【図５】本発明の表示装置において、境界線（第１境界線）２’が視認され難くなるメカニズムを説明するための模式図である。
【図６】本発明の表示装置において、境界線（第１境界線）２’が視認され難くなるメカニズムを説明するための他の模式図である。
【図７】本発明の実施形態の表示装置７０における表示部対５Ａおよび画素の配列（ケース１）を示す模式図である。
【図８】本発明の実施形態の表示装置８０における表示部対５Ａおよび画素の配列（ケース１）を示す模式図である。
【図９】本発明の実施形態の表示装置９０における表示部対５Ａおよび画素の配列（ケース１）を示す模式図である。
【図１０】本発明の実施形態の表示装置１００における表示部対５Ａおよび画素の配列（ケース１）を示す模式図である。
【図１１】本発明の実施形態の表示装置１１０における表示部対５Ａおよび画素の配列（ケース１）を示す模式図である。
【図１２】本発明の実施形態の表示装置１２０における表示部対５Ａおよび画素の配列（ケース１）を示す模式図である。
【図１３】本発明の実施形態の表示装置１３０における表示部対５Ａおよび画素の配列（ケース２）を示す模式図である。
【図１４】本発明の実施形態の表示装置１４０における表示部対５Ａおよび画素の配列（ケース２）を示す模式図である。
【図１５】本発明の実施形態の表示装置１５０における表示部対５Ａおよび画素の配列（ケース３）を示す模式図である。
【図１６】（ａ）および（ｂ）は、本発明の実施形態の表示装置１６０における表示部対５Ａおよび画素の配列（ケース２）を示す模式図である。
【図１７】本発明の実施形態の液晶表示装置１７０の絵素電極の配列を模式的に示す平面図である。
【図１８】本発明の実施形態の液晶表示装置１８０の絵素電極の配列を模式的に示す平面図である。
【図１９】図１８のＡ−Ａ’線に沿った液晶表示装置１８０の断面構造を模式的に示す図である。
【図２０】図１８のＢ−Ｂ’線に沿った液晶表示装置１８０の断面構造を模式的に示す図である。
【図２１】本発明の実施形態の液晶表示装置２１０の絵素電極の配列を模式的に示す平面図である。
【図２２】本発明の実施形態の液晶表示装置２２０の絵素電極の配列を模式的に示す平面図である。
【図２３】本発明の実施形態の液晶表示装置２３０の絵素電極の配列を模式的に示す平面図である。
【図２４】本発明の実施形態の液晶表示装置２４０の絵素電極の配列を模式的に示す平面図である。
【図２５】図２４に示した液晶表示装置２４０を作製するための製造プロセスを説明するための模式図である。
【符号の説明】
１、１ａ、１ｂ  表示パネル
２、２ａ、２ｂ、２ｃ、２ｄ  境界線
３、３ａ、３ｂ、３ｃ  絵素
４  画素
５  表示部
５Ａ  表示部対
１０  表示装置
Ｂ  青絵素
Ｒ  赤絵素
Ｇ  緑絵素
【図１】
0003960762.tif 000002
【図２】
0003960762.tif 000003
【図３】
0003960762.tif 000004
【図４】
0003960762.tif 000005
【図５】
0003960762.tif 000006
【図６】
0003960762.tif 000007
【図７】
0003960762.tif 000008
【図８】
0003960762.tif 000009
【図９】
0003960762.tif 000010
【図１０】
0003960762.tif 000011
【図１１】
0003960762.tif 000012
【図１２】
0003960762.tif 000013
【図１３】
0003960762.tif 000014
【図１４】
0003960762.tif 000015
【図１５】
0003960762.tif 000016
【図１６】
0003960762.tif 000017
【図１７】
0003960762.tif 000018
【図１８】
0003960762.tif 000019
【図１９】
0003960762.tif 000020
【図２０】
0003960762.tif 000021
【図２１】
0003960762.tif 000022
【図２２】
0003960762.tif 000023
【図２３】
0003960762.tif 000024
【図２４】
0003960762.tif 000025
【図２５】
0003960762.tif 000026